(57)【要約】【課題】埋設管へ挿通させる時の抵抗の少ない埋設管引き抜き具を提供する。【解決手段】埋設管内に挿通可能な索条体１を設け、ハケ状の管係止部を前記索条体１に設けてある埋設管引き抜き具Ｃ。【選択図】　　　　図１
2004084718.tif 000002
【特許請求の範囲】
【請求項１】
埋設管を地中から引き抜く埋設管引き抜き具であって、
埋設管内に挿通可能な索条体を設け、ハケ状の管係止部を前記索条体に設けてある埋設管引き抜き具。
【請求項２】
前記ハケ状の管係止部は、繊維、糸、紐、リボン状フィルムの中から選ばれた可撓性線状体の少なくとも一種の多数本を、一部で束ねて前記索条体に固定してあるものである請求項１記載の埋設管引き抜き具。
【請求項３】
前記管係止部を、前記索条体の長手方向の複数箇所に、備えさせてある請求項１又は２記載の埋設管引き抜き具。
【請求項４】
前記可撓性線状体が樹脂製である請求項２記載の埋設管引き抜き具。
【発明の詳細な説明】
【０００１】
【発明の属する技術分野】
本発明は、埋設管を地中から引き抜く埋設管引き抜き具に関する。
【０００２】
【従来の技術】
この種の埋設管引き抜き具は、例えば、地中に埋設された水道管などの埋設管を老朽化のために入れ替えたり撤去するのに用いられ、従来は、索条体に、埋設管内壁へ係止可能な圧接部材を備えさせたものが提案されている（特開２００２−１８１２３８号公報参照）。
この埋設管引き抜き具は、図６に示すように、ワイヤー３１の長手方向に間隔を隔てて、埋設管Ａ内面へ係止可能な圧接部材３２を複数備えさせ、次のようにして埋設管Ａを引き抜けるように構成されている。つまり、圧接部材３２には、その外周面に係止爪３３を有する係止部３４を形成してあり、そして、その係止部３４が埋設管Ａ内面に接しないように埋設管引き抜き具を埋設管Ａ内に挿通させ、ワイヤー３１を埋設管の引き抜き方向へ牽引することにより、その緊張力で圧接部材３２を埋設管Ａの径方向へ突出させ、係止部３４を埋設管Ａの内面へ係止させて、圧接部材３２を管内面に滑り止め状態で確実に圧接させ、そして、その圧接部材３２の圧接力によりワイヤー３１の牽引とともに埋設管Ａを引き抜けるように構成されている。
【０００３】
【発明が解決しようとする課題】
ところが、上述の埋設管引き抜き具では、埋設管内へ挿通させる際に、圧接部材３２の係止部３４が管内面に引っかかるのを完全に防止するのは困難であり、その挿通時の抵抗が大きくなってしまい作業性があまりよくなく、殊に、埋設管が曲がり管部を有するときには、このような問題が顕著となる。
【０００４】
本発明は、上記実情に鑑みてなされたものであって、その目的は、埋設管へ挿通させる時の抵抗を少なくできる埋設管引き抜き具を提供するところにある。
【０００５】
【課題を解決するための手段】
請求項１記載の発明の特徴構成は、埋設管を地中から引き抜く埋設管引き抜き具であって、
埋設管内に挿通可能な索条体を設け、ハケ状の管係止部を前記索条体に設けてあるところにある。
【０００６】
〔作用効果〕
このような埋設管引き抜き具は、埋設管へ挿通させる時に、ハケ状の管係止部が管内面に係止することがなく、従来に比べて、その際の抵抗を少なくできる。例えば、埋設管へ挿通させるのに、索条体を埋設管内へ引き込むと、ハケ状の管係止部の多数本の可撓性線状体が固定端部から進行方向とは反対方向に向けてなびき、索条体に沿う姿勢をとり、スムーズに埋設管内へ挿通させることができる。
一方、埋設管を地中より引き抜く際には、可撓性線状体の遊端側が先行するように索条体を牽引すると、多数本の線状体が管内面に付着し集合してダンゴ状のかたまりとなって、管内面を圧接するよう係止する。この結果、索条体の牽引とともに、かかるダンゴ状のかたまりとなった管係止部と管内面とのせん断抵抗により、索条体と管係止部と埋設管とが一体化し、埋設管を引き抜くことができるのである。
請求項２記載の発明の特徴構成は、前記ハケ状の管係止部は、繊維、糸、紐、リボン状フィルムの中から選ばれた可撓性線状体の少なくとも一種の多数本を、一部で束ねて前記索条体に固定してあるものであるところにある。
〔作用効果〕
本特徴構成を備える埋設管引き抜き具は、索条体に、多数本の前記可撓性線状体の一部を束ねて固定してあればよく、簡単な構造であるため、経済的であると共に、保管時等のメンテナンスが簡易である。
しかも、従来のように埋設管の管内面に係止させるのではなく、上述のようにして可撓性線状体の束を管内面への圧接によって係止させるので、前記線状体の固定端部側が先行するように索条体を牽引することで、引き抜いた埋設管内から埋設管引き抜き具を取り出し、再使用することも可能である。
【０００７】
請求項３記載の発明の特徴構成は、上記請求項１又は２記載の発明の特徴構成に加えて、前記管係止部を、前記索条体の長手方向の複数箇所に、備えさせてあるところにある。
【０００８】
〔作用効果〕
前記管係止部が索条体の長手方向の複数箇所に備えられているので、埋設管を引き抜く際、その索条体の長手方向の複数箇所にて、索条体と管係止部と埋設管とが一体化されて、座屈し易いものでもより確実に引き抜くことができるようになり、有利である。
【０００９】
請求項４記載の発明の特徴構成は、上記請求項２記載の発明の特徴構成に加えて、前記可撓性線状体が樹脂製であるところにある。
【００１０】
〔作用効果〕
前記可撓性線状体が樹脂製であると、埋設管への挿通時や、埋設管からの引き抜き時に、前記線状体どうしや線状体と埋設管内面間に静電気が発生し、その静電気の引力により線状体が管内面へ接触や付着し易くなる。このため、埋設管の引き抜き時に、ダンゴ状のかたまりとなった管係止部と管内面とのせん断抵抗がより大きくなり、より効率的に埋設管を引き抜くことができる。
【００１１】
【発明の実施の形態】
以下に本発明の実施の形態を図面に基づいて説明する。尚、図面において従来例と同一の符号で表示した部分は、同一又は相当の部分を示している。
【００１２】
図１は、本発明に係る埋設管引き抜き具（以下、単に引き抜き具と略称する）Ｃの一実施形態を示す斜視図であり、図２〜４は、その使用状況を示す説明図である。
【００１３】
図１に示すように、この管引き抜き具Ｃは、埋設管Ａ内に挿通する鋼製または硬質樹脂製のワイヤー（索条体の一例）１の両端に、引き抜き金具２をかしめ固定するとともに、そのワイヤー１の一定間隔を隔てた長手方向複数箇所に、繊維束１０（ハケ状の管係止部の一例）を備えさせてある。
【００１４】
前記繊維束１０は、多数本の繊維１１の一端側を束ねて索条体１に固定してなるものであり、ここでは図１，２（イ）に示すように、多数本のポリプロピレン樹脂製の繊維（繊維長５０ｃｍ〜１００ｃｍ）１１がワイヤー１のまわり全周に配置され、それら繊維１１がアルミ製のかしめ金具１２により固定されており、そして、その繊維束１０複数をワイヤー１に固定される端部側（つまりかしめ金具１２側）が同じ向きに揃うように、ワイヤー１の長手方向複数箇所に備えられている。
このように構成される繊維束１０は、図２（イ）に示すように、埋設管Ａ内への挿通時では（挿通方向Ｆ）、繊維１１がかしめ金具１２側から挿通方向Ｆとは反対方向に向けてなびきワイヤー１に沿う姿勢をとり、埋設管Ａ内面に接触しながらスムーズに埋設管Ａ内へ挿通される。一方、図２（ロ）に示すように、埋設管を地中より引き抜く際に、ワイヤー１を引き抜き方向Ｇに牽引すると、繊維束１０の多数本の繊維１１が、その遊端側より埋設管Ａの内面に付着し集合して、ダンゴ状のかたまりとなって、その管内面を圧接するように係止して、その結果、ワイヤー１の牽引とともに、かかるダンゴ状のかたまりとなった繊維束１０と管内面とのせん断抵抗により、ワイヤー１と繊維束１０と埋設管Ａとが一体化し、埋設管Ａが引き抜かれるのである。
【００１５】
次に、ポリエチレン樹脂製や塩化ビニル樹脂製の上水道用の埋設管Ａを地中から引き抜きながら、撤去する例を挙げて、さらに詳しく説明する。
【００１６】
まず、図３（イ）に示すように、撤去範囲の両端にピットＥ１，Ｅ２を掘削して、埋設管Ａの両端部を露出させ、一方のピットＥ２内に露出させた埋設管Ａの端部より、通線具などで牽引用ワイヤーＤを埋設管Ａ内に挿通する。そして、その牽引用ワイヤーＤに、引き抜き具Ｃのワイヤー１の一端側を連結し、図３（ロ）に示すように、牽引用ワイヤーＤの挿通方向Ｆへの牽引操作によって、ワイヤー１を撤去範囲の埋設管Ａの全長にわたって挿通する。この際、そのワイヤー１に備えられる繊維束１０は、繊維１１がかしめ金具１２側から挿通方向Ｆとは反対方向に向けてなびき、ワイヤー１に沿う姿勢をとり、埋設管Ａ内面に接触する姿勢にて、埋設管Ａ内へ挿入される。
尚、前記牽引用ワイヤーＤは、詳しくは図示しないが、鋼製のワイヤーからなり、その両端に連結金具Ｄ１を設け、ワイヤー１の引き抜き金具２に連結できるように構成されている。
【００１７】
そして、図４（ハ），（ニ）に示すように、ワイヤー１を挿通方向Ｆとは逆の引き抜き方向Ｇに、管外から牽引操作することで、埋設管Ａを地中より引き抜く。
【００１８】
具体的には、先述したように引き抜き方向Ｇへの牽引により、繊維束１０の繊維１１がダンゴ状のかたまりとなって、その管内面を圧接するようになり、その結果、ワイヤー１の牽引とともに、かかるダンゴ状のかたまりとなった繊維束１０と管内面とのせん断抵抗により、ワイヤー１と繊維束１０と埋設管Ａとが一体化し、埋設管Ａが引き抜かれる。
【００１９】
尚、図に示すように、繊維束１０を複数設けてあるので、埋設管Ａがその長手方向複数箇所にてワイヤー１と一体化され、座屈することなくより確実に引き抜くことができ、また、繊維束１０の繊維が樹脂製であるので静電気の作用により効率的に繊維束１０が埋設管Ａに一体化され、有利である。
因みに、本発明によれば、埋設管Ａの内面が水でぬれているときでも、好適に使用することができ、繊維束１０の繊維１１が水にぬれることで、より管内面に付着し易くなって、より効率的に埋設管Ａを引き抜くことができる。
【００２０】
尚、図４（ニ）に例示するように、単に埋設管Ａを撤去するだけでなく、埋設管Ａを地中から引き抜きながら、更新管Ｂを埋設管の引き抜き跡に引き込むようにしてもよい。ここでは、ワイヤー１の引き抜き金具２に、牽引用ワイヤーＤにかえて、更新管Ｂの引き込み金具２１を連結することで、埋設管Ａを地中から引き抜きながら、更新管Ｂを埋設管の引き抜き跡に引き込めるようにしてある。
【００２１】
〔別実施形態〕
以下に他の実施形態を説明する。
〈１〉　先の実施形態では、繊維束１０が、単に繊維１１とかしめ金具１２とからなるものを例示したが、このようなものに限らず、例えば、図５に示すように、多数本の繊維１１中に、硬鋼線などの硬質線材１３の複数を、夫々遊端側が拡がり付勢するように内在させ、それら複数の硬質線材１３の一端側をかしめ金具１２により索条体１に固定させてあるものでもよい。このときには、硬質線材１３の遊端側から拡がろうとする作用により、その外側に配置される多数本の繊維１１も外方に向けて拡がるように付勢されるようになる。このため、埋設管内に挿入させて引き抜き方向Ｇに牽引するときに、多数本の繊維１１が管内面により付着し易くなり、一層効率的に埋設管を引き抜くことができ、有利である。
【００２２】
〈２〉　先の実施形態では、繊維束１０を、その固定端部側が同じ向きに揃うようにして、索条体１の長手方向複数箇所に備えさせてあるものを例示したが、そのようなもの限らず、索条体１の長手方向複数箇所に繊維束１０を備えさせてあれば、同様の作用効果を得ることができる。また、繊維束１０を１箇所備えさせてあるものでも勿論よい。
また、先の実施形態では、一つの繊維束１０の多数本の繊維１１が索条体１のまわり全周に配置されるものを例示したが、繊維束１０を索条体１の周方向にわたって複数備えさせることで繊維１１が索条体１のまわり全周に配置されるようにしてあってもよい。尚、索条体１の周方向全周にわたって繊維１１が配置されてなくても勿論よい。
〈３〉　前記索条体１は金属製のロッドで構成してあってもよい。
〈４〉　繊維１１は、先のポリプロピレン樹脂製に限らず、その他の樹脂製でも、また、樹脂製のものでなくてもよいが、繊維に代え、糸、紐、リボン状フィルム等の可撓性線状体であっても良く、尚、それら可撓性線状体の少なくとも一種の多数本を、一部で束ねて前記索条体に固定すればよく、それらを、前記繊維束１０を含むハケ状の係止部と総称する。
〈５〉　本発明の埋設管引き抜き具は、樹脂製の埋設管に限らず鉛製の埋設管にも適用可能であり、また、曲がり部を有する埋設管にも適用可能である。そして、下水道用やガス供給用の埋設管を引き抜くために使用してもよい。
〈６〉　前記引き抜き具Ｃを、埋設管Ａ内に挿入するのに、前記牽引用ワイヤーＤにて牽引挿入する例を示したが、ワイヤー１が直線状に姿勢維持する能力が良ければ、牽引用ワイヤーＤを使用せずに、ワイヤー自身で埋設管Ａ内に挿入していけば良い。
【図面の簡単な説明】
【図１】本発明に係る埋設管引き抜き具の一例を示す斜視図
【図２】本発明に係る埋設管引き抜き具の繊維束の状況を示す説明図（イ）埋設管への挿通時、（ロ）埋設管の引き抜き時
【図３】埋設管引き抜き具の埋設管への挿通状況を示す説明図
【図４】埋設管引き抜き具による埋設管の引き抜き状況を示す説明図
【図５】本発明に係る埋設管引き抜き具の別例を示す説明図
【図６】従来の埋設管引き抜き具を示す説明図
【符号の説明】
Ａ　　　埋設管
Ｃ　　　埋設管引き抜き具
１　　　索条体
１０　　繊維束
１１　　繊維
【図１】
2004084718.tif 000003
【図２】
2004084718.tif 000004
【図３】
2004084718.tif 000005
【図４】
2004084718.tif 000006
【図５】
2004084718.tif 000007
【図６】
2004084718.tif 000008